【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
シートバックと、
該シートバックの外表面の一部を構成し、表示画面を形成する面状の表示画面形成体と、を備え、
該表示画面形成体は、
一方側の端部が前記シートバックの一方側に回動軸で連結されており、
他方側の端部が、前記シートバックの他方側に配置されるとともに、前記シートバックに対して前記表示画面形成体の角度を調整する角度調整手段を有することを特徴とする乗物用シート。
【請求項２】
前記角度調整手段は、前記シートバックの下部に対して、前記シートバックの厚み方向へと前記表示画面形成体の前記他方側の端部を移動させることを特徴とする請求項１に記載の乗物用シート。
【請求項３】
前記角度調整手段は、前記表示画面形成体の前記他方側の端部に取り付けられたアクチュエータによって前記表示画面形成体の角度を調整することを特徴とする請求項２に記載の乗物用シート。
【請求項４】
前記角度調整手段は、前記一方側の端部が前記回動軸により軸支され、前記他方側の端部が前記アクチュエータによって前記表示画面形成体の前記他方側の端部を前記厚み方向へ移動させるボード材を備え、
前記ボード材は、前記シートバックの内部の後方部に配置されていることを特徴とする請求項３に記載の乗物用シート。
【請求項５】
前記ボード材は、前記表示画面形成体と平行に備えられていることを特徴とする請求項４に記載の乗物用シート。
【請求項６】
前記シートバックは、シートバックフレームと、該シートバックフレームの前方に配置されるクッション材と、該クッション材を覆う表皮材と、背面側に配置される前記表示画面形成体によって構成されており、
前記ボード材は、前記乗物用シートの幅方向において前記シートバックフレームのサイドフレームの間に配置されていることを特徴とする請求項４又は５に記載の乗物用シート。
【請求項７】
前記シートバックは、シートバックフレームと、該シートバックフレームの前方に配置されるクッション材と、該クッション材を覆う表皮材と、背面側に配置される前記表示画面形成体によって構成されており、
前記角度調整手段は、前記ボード材の背面に対し、前記表皮材の後面が前記厚み方向において後方へと移動することで前記表示画面形成体が前記厚み方向における後方へと移動することを特徴とする請求項４又は５に記載の乗物用シート。
【請求項８】
前記シートバックにおいて前記表示画面形成体及び前記アクチュエータの下方に配置され、前記表示画面形成体の回動動作に連動して前後方向に伸縮する伸縮部材を更に備えることを特徴とする請求項７に記載の乗物用シート。
【請求項９】
前記乗物用シートは、シートクッションと、ヘッドレストを備え、
前記シートバックの他方側は、リクライニング装置を介して前記シートクッションの後端部に連結されており、
前記ヘッドレストは、前記シートバックの一方側に備えられており、
前記アクチュエータは、前記リクライニング装置が設けられている前記シートバックの他方側に配置されていることを特徴とする請求項３乃至６のいずれか一項に記載の乗物用シート。
【請求項１０】
前記アクチュエータは、前記乗物用シートの前後方向において前記シートクッションと重なる位置に配置されていることを特徴とする請求項９に記載の乗物用シート。
【手続補正２】
【補正対象書類名】明細書
【補正対象項目名】０００１
【補正方法】変更
【補正の内容】
【０００１】
本発明は、乗物用シートに係り、特に、シートバックの外表面の一部を表示画面形成体によって構成した乗物用シートに関する。
【手続補正３】
【補正対象書類名】明細書
【補正対象項目名】０００４
【補正方法】変更
【補正の内容】
【０００４】
一方、情報等を表示する際の表示画面を用いる場合には、当該表示画面を見る者にとって好適な位置に表示画面を配置されることが求められる。
【手続補正４】
【補正対象書類名】明細書
【補正対象項目名】０００５
【補正方法】変更
【補正の内容】
【０００５】
そこで、本発明は、上記の問題に鑑みてなされたものであり、その目的は、シートバックの外表面において表示画面を形成する乗物用シートとして、表示画面形成体が好適な位置に適切に配置された乗物用シートを提供することにある。
【手続補正５】
【補正対象書類名】明細書
【補正対象項目名】０００６
【補正方法】変更
【補正の内容】
【０００６】
前記課題は、本発明の乗物用シートによれば、シートバックと、該シートバックの外表面の一部を構成し、表示画面を形成する面状の表示画面形成体と、を備え、該表示画面形成体は、一方側の端部が前記シートバックの一方側に回動軸で連結されており、他方側の端部が、前記シートバックの他方側に配置されるとともに、前記シートバックに対して前記表示画面形成体の角度を調整する角度調整手段を有することにより解決される。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
また、上記の乗物用シートにおいて、前記角度調整手段は、前記シートバックの下部に対して、前記シートバックの厚み方向へと前記表示画面形成体の前記他方側の端部を移動させるとよい。
【手続補正８】
【補正対象書類名】明細書
【補正対象項目名】０００９
【補正方法】変更
【補正の内容】
【０００９】
また、上記の乗物用シートにおいて、前記角度調整手段は、前記表示画面形成体の前記他方側の端部に取り付けられたアクチュエータによって前記表示画面形成体の角度を調整するとよい。
【手続補正９】
【補正対象書類名】明細書
【補正対象項目名】００１０
【補正方法】変更
【補正の内容】
【００１０】
また、上記の乗物用シートにおいて、前記角度調整手段は、前記一方側の端部が前記回動軸により軸支され、前記他方側の端部が前記アクチュエータによって前記表示画面形成体の前記他方側の端部を前記厚み方向へ移動させるボード材を備え、前記ボード材は、前記シートバックの内部の後方部に配置されているとよい。
【手続補正１０】
【補正対象書類名】明細書
【補正対象項目名】００１１
【補正方法】変更
【補正の内容】
【００１１】
また、上記の乗物用シートにおいて、前記ボード材は、前記表示画面形成体と平行に備えられているとよい。
【手続補正１１】
【補正対象書類名】明細書
【補正対象項目名】００１２
【補正方法】変更
【補正の内容】
【００１２】
また、上記の乗物用シートにおいて、前記シートバックは、シートバックフレームと、該シートバックフレームの前方に配置されるクッション材と、該クッション材を覆う表皮材と、背面側に配置される前記表示画面形成体によって構成されており、前記ボード材は、前記乗物用シートの幅方向において前記シートバックフレームのサイドフレームの間に配置されているとよい。
【手続補正１２】
【補正対象書類名】明細書
【補正対象項目名】００１３
【補正方法】変更
【補正の内容】
【００１３】
また、上記の乗物用シートにおいて、前記シートバックは、シートバックフレームと、該シートバックフレームの前方に配置されるクッション材と、該クッション材を覆う表皮材と、背面側に配置される前記表示画面形成体によって構成されており、前記角度調整手段は、前記ボード材の背面に対し、前記表皮材の後面が前記厚み方向において後方へと移動することで前記表示画面形成体が前記厚み方向における後方へと移動するとよい。
【手続補正１３】
【補正対象書類名】明細書
【補正対象項目名】００１４
【補正方法】変更
【補正の内容】
【００１４】
また、上記の乗物用シートにおいて、前記シートバックにおいて前記表示画面形成体及びアクチュエータの下方に配置され、前記表示画面形成体の回動動作に連動して前後方向に伸縮する伸縮部材を更に備えるとよい。
【手続補正１４】
【補正対象書類名】明細書
【補正対象項目名】００１５
【補正方法】変更
【補正の内容】
【００１５】
また、上記の乗物用シートにおいて、前記乗物用シートは、シートクッションと、ヘッドレストを備え、前記シートバックの他方側は、リクライニング装置を介して前記シートクッションの後端部に連結されており、前記ヘッドレストは、前記シートバックの一方側に備えられており、前記アクチュエータは、前記リクライニング機構が設けられている前記シートバックの他方側に配置されているとよい。
【手続補正１５】
【補正対象書類名】明細書
【補正対象項目名】００１６
【補正方法】変更
【補正の内容】
【００１６】
また、上記の乗物用シートにおいて、前記アクチュエータは、前記乗物用シートの前後方向において前記シートクッションと重なる位置に配置されているとよい。
【手続補正１６】
【補正対象書類名】明細書
【補正対象項目名】００１７
【補正方法】削除
【補正の内容】
【手続補正１７】
【補正対象書類名】明細書
【補正対象項目名】００４３
【補正方法】変更
【補正の内容】
【００４３】
駆動機構１０は、図６の（Ａ）及び（Ｂ）に示すように、上述したバックパネルＳｐと、アクチュエータ１１と、を主な構成要素とする。バックパネルＳｐは、その上端部にて回動軸２２に支持されている。この回動軸２２は、幅方向に沿った軸である。そして、バックパネルＳｐは、回動軸２２周りに回動することが可能である。なお、バックパネルＳｐが初期位置にあるとき、傾き角度θは、表示画面の上端が下端よりも後方に位置しているときの角度（回動前角度）となっている。